(57)【要約】【課題】  交換可能で安価な刃体を用いた除草用回転刃を提供する。【解決手段】  下面が地面に対峙する姿勢で草刈機の回転部に取り付けられて回転駆動される基部１と、基端部が基部１に上下方向に延びる第１の軸線Ｌ１の周りに回動可能なように取り付けられており、基端部を基部１から取り外し可能である平板状の第１刃体２と、基端部が基部１に上下方向に延びる第２の軸線Ｌ２の周りに回動可能なように取り付けられており、基端部を基部１から取り外し可能である平板状の第２刃体２とを備え、基部１は、第２の軸線Ｌ２の周りに回動可能な第２刃体２の先端部が、第１の軸線Ｌ１の周りに回動可能な第１刃体２の先端部よりも下方に位置するように、第１及び第２刃体２が取り付けられるよう構成されている。【選択図】  図３
0003208210.tif 000002
【実用新案登録請求の範囲】
【請求項１】
下面が地面に対峙する姿勢で草刈機の回転部に取り付けられて回転駆動される基部と、
基端部が前記基部に上下方向に延びる第１の軸線周りに回動可能なように取り付けられており、前記基端部を前記基部から取り外し可能である平板状の第１刃体と、
基端部が前記基部に上下方向に延びる第２の軸線周りに回動可能なように取り付けられており、前記基端部を前記基部から取り外し可能である平板状の第２刃体とを備え、
前記基部は、
前記第２刃体の先端部が前記第１刃体の先端部よりも下方に位置するように前記第１及び第２刃体が取り付けられるよう構成された、
除草用回転刃。
【請求項２】
前記基部は、
前記草刈機の回転部に取り付けられて回転駆動される中央部と、前記中央部から側方へ延びてその先端部に前記第１刃体が取り付けられる板状の第１取付部と、前記中央部から側方へかつ前記第１取付部よりも下方へ延びてその先端部に前記第２刃体が取り付けられる板状の第２取付部とを有する、
請求項１に記載の除草用回転刃。
【請求項３】
前記基部は、
前記中央部を挟んで位置する２つの前記第１取付部を有するとともに、前記中央部を挟んで位置する２つの前記第２取付部を有し、平面視において十字形状をなすように構成された、
請求項２に記載の除草用回転刃。
【請求項４】
前記第１刃体は、前記第１取付部の先端部の下面に沿うように取り付けられており、
前記第２刃体は、前記第２取付部の先端部の下面に沿うように取り付けられた、
請求項２または３に記載の除草用回転刃。
【請求項５】
前記第１刃体及び前記第２刃体の各々は、
平面視において長方形であり、前記長方形の２つの長辺部分の各々に全長にわたって切れ刃が形成されており、前記長方形の２つの短辺のうちの一方の短辺寄りの部分を前記基端部としたときに前記基部に取り付けるための第１の穴と、他方の短辺寄りの部分を前記基端部としたときに前記基部に取り付けるための第２の穴とが設けられた、
請求項１〜４のいずれかに記載の除草用回転刃。
【請求項６】
前記第１刃体及び前記第２刃体の各々は、
前記第１の穴と前記第２の穴との間が切り抜かれて前記第１の穴の領域と前記第２の穴の領域とを含む長穴が設けられ、
前記基部に、前記第１刃体の前記長穴に挿入されて前記第１刃体を前記第１の軸線周りに回動可能に支持する第１の軸部が取り付けられるとともに、前記第２刃体の前記長穴に挿入されて前記第２刃体を前記第２の軸線周りに回動可能に支持する第２の軸部が取り付けられ、
前記第１刃体の前記長穴は、前記第１の軸部が前記第１の穴の領域から前記第２の穴の領域までの間を移動可能なように構成され、
前記第２刃体の前記長穴は、前記第２の軸部が前記第１の穴の領域から前記第２の穴の領域までの間を移動可能なように構成された、
請求項５に記載の除草用回転刃。
【考案の詳細な説明】
【技術分野】
【０００１】
本考案は、草刈機に使用される除草用回転刃に関する。
【背景技術】
【０００２】
従来、除草作業を行う作業者に手押しされて又は搭載されたエンジン等の駆動により前進する草刈機に使用される除草用回転刃（草刈り刃）において、雑草を細かく裁断できるように、高低差を有する上方の刃体と下方の刃体とを備えたものがある（例えば、特許文献１，２参照）。
【先行技術文献】
【特許文献】
【０００３】
【特許文献１】実用新案登録第３２０２８５１号公報
【特許文献２】実用新案登録第３１６６２２０号公報
【考案の概要】
【考案が解決しようとする課題】
【０００４】
特許文献１，２に記載のものは、草刈機の回転部（回転軸）に固定されて回転する基部に刃体が回動自在に取り付けられており、刃体が石等の障害物に当たると刃体が回動して、刃体が受ける衝撃を緩和し、刃体の損傷を防止することができる。そして、刃体はボルトとナットで基部に取り付けられているので、刃体が摩耗したときには新しい刃体との交換が可能である。このように、刃体は摩耗して交換されるので、安価な刃体が望まれる。しかし特許文献１の場合には、下方の刃体に曲げ加工が必要であり、特許文献２の場合には、上方と下方のいずれの刃体（刃部）にも曲げ加工が必要である。このような曲げ加工はコスト高の要因となる。
【０００５】
本考案は上記のような課題を解決するためになされたもので、交換可能で安価な刃体を用いた除草用回転刃を提供することを目的としている。
【課題を解決するための手段】
【０００６】
上記目的を達成するために、本考案のある態様に係る除草用回転刃は、下面が地面に対峙する姿勢で草刈機の回転部に取り付けられて回転駆動される基部と、基端部が前記基部に上下方向に延びる第１の軸線周りに回動可能なように取り付けられており、前記基端部を前記基部から取り外し可能である平板状の第１刃体と、基端部が前記基部に上下方向に延びる第２の軸線周りに回動可能なように取り付けられており、前記基端部を前記基部から取り外し可能である平板状の第２刃体とを備え、前記基部は、前記第２刃体の先端部が前記第１刃体の先端部よりも下方に位置するように前記第１及び第２刃体が取り付けられるよう構成されている。
【０００７】
この構成によれば、第１及び第２刃体は基部に着脱可能に取り付けられているので、新しい刃体と交換可能である。そして、第１及び第２刃体は平板状であるので、曲げ加工の必要がなく、作製コストの低減を図り、安価にできる。また、第２刃体の先端部が第１刃体の先端部よりも下方に位置するように高低差を有して第１及び第２刃体が取り付けられているので、雑草を細かく裁断することができる。そして、第１及び第２刃体は各々の基端部が基部に対して回動可能に取り付けられているため、第１及び第２刃体が石等の障害物に当たると第１及び第２刃体が回動して、第１及び第２刃体が受ける衝撃を緩和し、第１及び第２刃体の損傷を防止することができる。
【０００８】
前記基部は、前記草刈機の回転部に取り付けられて回転駆動される中央部と、前記中央部から側方へ延びてその先端部に前記第１刃体が取り付けられる板状の第１取付部と、前記中央部から側方へかつ前記第１取付部よりも下方へ延びてその先端部に前記第２刃体が取り付けられる板状の第２取付部とを有していてもよい。
【０００９】
前記基部は、前記中央部を挟んで位置する２つの前記第１取付部を有するとともに、前記中央部を挟んで位置する２つの前記第２取付部を有し、平面視において十字形状をなすように構成されていてもよい。
【００１０】
前記第１刃体は、前記第１取付部の先端部の下面に沿うように取り付けられており、前記第２刃体は、前記第２取付部の先端部の下面に沿うように取り付けられていてもよい。
【００１１】
この構成によれば、第１，第２刃体が第１，第２取付部の下面側に取り付けられているので、草刈機の下面側から第１，第２刃体の着脱を容易に行うことができる。
【００１２】
前記第１刃体及び前記第２刃体の各々は、平面視において長方形であり、前記長方形の２つの長辺部分の各々に全長にわたって切れ刃が形成されており、前記長方形の２つの短辺のうちの一方の短辺寄りの部分を前記基端部としたときに前記基部に取り付けるための第１の穴と、他方の短辺寄りの部分を前記基端部としたときに前記基部に取り付けるための第２の穴とが設けられていてもよい。
【００１３】
この構成によれば、第１刃体及び第２刃体の各々は、平面視において長方形であり、２つの長辺部分の全長にわたって切れ刃が形成されており、基部に取り付けるための第１の穴と第２の穴とが設けられているので、草刈機の回転部の回転方向を問わず使用できるとともに、第１の穴を用いて基部に取り付けて使用した後、第２の穴を用いて基部に取り付けて使用することができ、新しいものと交換する頻度を少なくできる。すなわち、第１刃体及び第２刃体の各々の使用寿命を長くすることができる。
【００１４】
前記第１刃体及び前記第２刃体の各々は、前記第１の穴と前記第２の穴との間が切り抜かれて前記第１の穴の領域と前記第２の穴の領域とを含む長穴が設けられ、前記基部に、前記第１刃体の前記長穴に挿入されて前記第１刃体を前記第１の軸線周りに回動可能に支持する第１の軸部が取り付けられるとともに、前記第２刃体の前記長穴に挿入されて前記第２刃体を前記第２の軸線周りに回動可能に支持する第２の軸部が取り付けられ、前記第１刃体の前記長穴は、前記第１の軸部が前記第１の穴の領域から前記第２の穴の領域までの間を移動可能なように構成され、前記第２刃体の前記長穴は、前記第２の軸部が前記第１の穴の領域から前記第２の穴の領域までの間を移動可能なように構成されている。
【００１５】
この構成によれば、第１、第２刃体を基部から取り外さなくても、第１、第２の軸部が長穴の一方の端部（例えば第１の穴の領域）から他方の端部（例えば第２の穴の領域）へ位置するように第１、第２刃体を移動（スライド）させるだけで、第１の穴を用いて基部に取り付けられて使用される状態と、第２の穴を用いて基部に取り付けられて使用される状態とを変更することができる。
【考案の効果】
【００１６】
本考案は、以上に説明した構成を有し、交換可能で安価な刃体を用いた除草用回転刃を提供することができるという効果を奏する。
【図面の簡単な説明】
【００１７】
【図１】図１（Ａ）は、本考案の実施形態の除草用回転刃が使用される草刈機の一例を示す概略側面図であり、図１（Ｂ）は、図１（Ａ）の草刈機において、本実施形態の一例の除草用回転刃の取り付け部分の拡大図である。
【図２】図２は、草刈機の回転部及びそれに取り付けられた除草用回転刃を側方からみた斜視図である。
【図３】図３は、刃体の取付方法を示す除草用回転刃の斜視図である。
【図４】図４（Ａ）は、除草用回転刃の基部を上方からみた平面図であり、図４（Ｂ）は、同基部の側面図である。
【図５】図５（Ａ）は、他の例の刃体を示す斜視図であり、図５（Ｂ）は、図５（Ａ）に示す刃体を用いた除草用回転刃を示す斜視図である。
【考案を実施するための形態】
【００１８】
以下、本考案の好ましい実施の形態を、図面を参照しながら説明する。なお、以下では全ての図面を通じて同一又は相当する要素には同一の参照符号を付して、その重複する説明を省略する。また、本考案は、以下の実施形態に限定されない。
【００１９】
（実施形態）
図１（Ａ）は、本考案の実施形態の除草用回転刃が使用される草刈機の一例を示す概略側面図であり、図１（Ｂ）は、図１（Ａ）の草刈機において、本実施形態の一例の除草用回転刃の取り付け部分の拡大図である。
【００２０】
この草刈機１１０は、所謂自走式の草刈機であり、エンジン等の駆動部の駆動力によって、草刈機１１０の車輪１１５が回転して前進すると共に、底面に取り付けられた回転部１１３が回転し、回転部１１３に取り付けられた除草用回転刃１００が回転して草刈機１１０の下に位置する雑草を刈り取ることができるものである。草刈機１１０には、除草用回転刃１００に対して前方及び下方を除く部分を覆うカバー１１６が設けられている。除草用回転刃１００が取り付けられる回転部１１３は、草刈機１１０の左右方向（図１（Ｂ）の紙面奥行き方向）に複数並んで設けられることが多いが、１つでもよい。なお、草刈機１１０は、作業者に手押しされて前進するものでもよい。
【００２１】
図２は、草刈機１１０の回転部１１３及びそれに取り付けられた除草用回転刃１００を側方からみた斜視図である。図３は、刃体の取付方法を示す除草用回転刃１００の斜視図である。図４（Ａ）は、除草用回転刃１００の基部を上方からみた平面図であり、図４（Ｂ）は、同基部の側面図である。なお、図４（Ｂ）の二点鎖線Ｆ１３については、後述することとし、ここでの例では関係ないものである。
【００２２】
除草用回転刃１００は、図３に示すように、基部１に４つの刃体２が回動自在に取り付けられて構成されている。
【００２３】
基部１は、図４に示すように、平面視において十字形状であり、草刈機１１０の回転部１１３に取り付けるための取付穴１ａが設けられた略正方形の中央部１１と、中央部１１を挟んで位置する２つの第１取付部１２と、中央部１１を挟んで位置する２つの第２取付部１３とを有している。第１取付部１２と第２取付部１３とは、中央部１１の周囲に交互に並んで配置されている。
【００２４】
第１取付部１２は、中央部１１から側方へ延びる板状であり、先端部分にボルト嵌合穴１ｂが設けられている。第２取付部１３は、中央部１１から側方へかつ第１取付部１２よりも下方へ延びる板状であり、先端部分にボルト嵌合穴１ｂが設けられている。
【００２５】
この基部１は、例えば、所定の厚さのばね鋼鋼材を十字形状に加工して、取付穴１ａ及び４つのボルト嵌合穴１ｂを形成し、中央部１１と第２取付部１３との境界部分ＢＬを折り曲げて形成されている。
【００２６】
この基部１に４つの刃体２が取り付けられてなる除草用回転刃１００は、草刈機１１０の回転部１１３に固定される。例えば図２に示すように、回転部１１３は、回転台（回転軸）１１１と位置決め用カバー１１２とで構成されており、回転台１１１に位置決め用カバー１１２が例えば溶接によって固定されている。この回転部１１３に除草用回転刃１００を取り付けるときには、草刈機１１０の取付ボルト１１４（図１）を、基部１の中央部１１に設けられた取付穴１ａに挿通し、回転台１１１に形成されている雌ねじに螺合させる。
【００２７】
このようにして基部１は、下面が地面に対峙する姿勢で草刈機１１０の回転部１１３に取り付けられる。草刈機１１０の回転部１１３は回転軸線（回転台１１１の中心軸線）ＣＬ１の周りに矢印Ｒ１方向または矢印Ｒ２方向に回転し、この回転部１１３の回転によって基部１（除草用回転刃１００）が回転部１１３と同方向に回転駆動される。なお、位置決め用カバー１１２は、回転台１１１に対する除草用回転刃１００の位置決めを行うためのもので、取付ボルト１１４を挿通する穴が設けられている。
【００２８】
次に、刃体２の基部１への取付構造等について図３を参照して説明する。
【００２９】
刃体２は、細長い平板状であり、その幅方向両側の側面に切れ刃２ａが形成されており、基端部に軸孔２ｂが形成されている。両側の２つの切れ刃２ａは対称に形成されており、刃体２の軸孔２ｂよりも先端寄り部分から先端部分までの側面に形成されている。
【００３０】
各々の刃体２は、ボルト３及びフランジナット（フランジ付き六角ナット）４によって、基部１に回動自在に取り付けられる。ボルト３は、例えば六角レンチ用の六角形の穴が形成された頭部３ａと、刃体２の軸孔２ｂに挿入される軸部３ｂと、基部１のボルト嵌合穴１ｂに嵌まる被嵌合部３ｃと、ねじ部３ｄとを有している。
【００３１】
刃体２の基部１の第１取付部１２への着脱方法について説明する。刃体２を第１取付部１２に取り付ける際には、例えば、第１取付部１２の下面に刃体２を配置し、下方からボルト３を刃体２の軸孔２ｂ及びボルト嵌合穴１ｂに通して、ボルト３の軸部３ｂが刃体２の軸孔２ｂに挿入され、ボルト３の被嵌合部３ｃが第１取付部１２のボルト嵌合穴１ｂに嵌まった状態にする。そして、フランジナット４をボルト３のねじ部３ｄに螺合させればよい。一方、刃体２を取り外す際には、フランジナット４を緩めてフランジナット４とボルト３のねじ部３ｄとの螺合を解除すればよい。また、この際、フランジナット４を少し緩めてボルト３の被嵌合部３ｃがボルト嵌合穴１ｂから下方へ抜け出すようにしてから、六角レンチを用いてボルト３を緩める方向へ回し、フランジナット４とボルト３のねじ部３ｄとの螺合を解除することもできる。
【００３２】
また、刃体２の第２取付部１３への着脱方法も、上記の第１取付部１２への着脱方法と同様である。但し、第１取付部１２に取り付けられた刃体２と第２取付部１３に取り付けられた刃体２とは、刃体２の表裏が逆になるようにして基部１に取り付けられる。すなわち、第１取付部１２には、切れ刃２ａを形成する傾斜面が下方を向く（下側になる）ようにして刃体２が取り付けられ、第２取付部１３には、切れ刃２ａを形成する傾斜面が上方を向く（上側になる）ようにして刃体２が取り付けられる。
【００３３】
なお、ボルト３の軸部３ｂの高さは、刃体２の厚みよりも若干大きくしているとともに、ボルト３の軸部３ｂの径は、刃体２の軸孔２ｂの径よりも若干小さくしている。これにより、刃体２は軸部３ｂを中心に回動自在に取り付けられている。なお、ボルト３は、被嵌合部３ｃがボルト嵌合穴１ｂに嵌まっているので、回動しない。
【００３４】
上記の本実施形態の一例の除草用回転刃１００は、全ての刃体２が基部１に着脱可能に取り付けられているので、新しい刃体と交換可能である。この際、刃体２が基部１（第１，第２取付部１２，１３）の下面側に取り付けられているので、草刈機１１０の下面側から刃体２の着脱を容易に行うことができる。そして、全ての刃体２は、同一形状の平板状であるので、曲げ加工の必要がなく、作製コストの低減を図り、安価にできる。よって、ユーザは安価な刃体との交換が可能になる。
【００３５】
また、基部１の第２取付部１３に取り付けられた刃体（第２刃体）２の先端部が第１取付部１２に取り付けられた刃体（第１刃体）２の先端部よりも下方に位置するように高低差を有して複数の刃体２が取り付けられているので、雑草を細かく裁断することができる。
【００３６】
そして、第１取付部１２に取り付けられた刃体（第１刃体）２は、その基端部が基部１に軸着されて上下方向に延びる第１の軸線（回動軸線）Ｌ１の周りに回動可能であり、第２取付部１３に取り付けられた刃体２は、その基端部が基部１に軸着されて上下方向に延びる第２の軸線（回動軸線）Ｌ２の周りに回動可能である。そのため、刃体２が石等の障害物に当たると刃体２が回動して、刃体２が受ける衝撃を緩和し、刃体２の損傷を防止することができる。なお、本例では、２つの第１の軸線Ｌ１は、それぞれ回転軸線ＣＬ１と平行になっている。
【００３７】
また、全ての刃体２は、両側に切れ刃２ａが形成されているので、草刈機１１０の回転部１１３の回転方向を問わずに、除草用回転刃１００を取り付けて草刈りを行うことができる。例えば、回転部１１３が２つ設けられた草刈機１１０では、２つの回転部１１３が互いに逆方向に回転するよう構成されている。この場合に、２つの回転部１１３に取り付けられた除草用回転刃１００を互いに入れ替えて取り付けることにより、同じ刃体２を長く使用することができ、刃体２の交換頻度を少なくできる。
【００３８】
図５（Ａ）は、他の例の刃体を示す斜視図であり、図５（Ｂ）は、図５（Ａ）に示す刃体を用いた除草用回転刃を示す斜視図である。
【００３９】
この他の例の刃体５は、平面視において長方形状（略長方形状を含む）であり、その２つの長辺部分の全長にわたって傾斜面を有する切れ刃５ａが形成されており、長手方向の両端の各々の近傍部分に軸孔５ｂが形成されている。２つの軸孔（第１，第２の穴）５ｂの各々は、前述の刃体２の軸孔２ｂと同様であり、ボルト３の軸部３ｂ（図３参照）を挿入することができる。
【００４０】
この刃体５を用いた除草用回転刃１０１の場合でも、前述の刃体２を用いた場合と同様、第１取付部１２に取り付けられた刃体５と第２取付部１３に取り付けられた刃体５とは、刃体５の表裏が逆になるように取り付けられる。
【００４１】
この刃体５を用いた除草用回転刃１０１においても、前述の刃体２を用いた除草用回転刃１００の場合と同様の効果が得られる。
【００４２】
さらに、この刃体５の場合、切れ刃５ａが長手方向（長辺部分）の全長にわたって形成されるとともに、２つの軸孔５ｂが設けられている。この刃体５は、２つのうちいずれか一方の軸孔５ｂにボルト３を通して基部１に取り付けられる。
【００４３】
刃体５を基部１に取り付けて除草用回転刃１０１として使用した場合、刃体５の全長に形成された切れ刃５ａのうち、外側に近い部分（回転軸線ＣＬ１から遠い部分）が摩耗しやすい。そのため、各刃体５を一方の軸孔５ｂ（５ｂ１）にボルト３を通して基部１に取り付けて使用した後、各刃体５を基部１に取り付ける軸孔５ｂが逆となるようにして、すなわち他方の軸孔５ｂ（５ｂ２）にボルト３を通して基部１に付け替えて使用することができ、刃体５を新しいものと交換する頻度を少なくできる。すなわち、この刃体５は前述の刃体２に比べて使用寿命を長くすることができる。
【００４４】
上記の刃体５において、図５（Ａ）の二点鎖線で示すように、２つの軸孔（第１，第２の穴）５ｂ１，５ｂ２に代えて、それらを繋いだ１つの長穴５Ｂを形成するようにしてもよい。この長穴５Ｂは、一方の軸孔５ｂ１と他方の軸孔５ｂ２との間が、軸孔５ｂ１，５ｂ２の直径と同じ幅で切り抜かれた構成であり、両端に軸孔５ｂ１，５ｂ２の領域を含んでいる。この場合、刃体５が基部１に取り付けられた状態で、長穴５Ｂは、ボルト３の軸部（第１，第２の軸部）３ｂが一方の軸孔５ｂ１の領域から他方の軸孔５ｂ２の領域までの間を移動可能なように構成されている。そのため、前述のように基部１に取り付ける軸孔５ｂ１，５ｂ２が逆となるように刃体５を取り外して付け替えることに代えて、刃体５を基部１から取り外さなくても、ボルト３の軸部３ｂが刃体５の長穴５Ｂの一方の端部（例えば軸孔５ｂ１の領域）から他方の端部（例えば軸孔５ｂ２の領域）へ位置するように刃体５を移動（スライド）させるだけでよい。
【００４５】
なお、上記実施形態において、基部１は、前述の形状に限られるものではない。例えば、図４（Ｂ）の二点鎖線Ｆ１３で示すように、第２取付部１３が屈曲されていてもよい。さらに基部１は、平面視において十字形状としたが、草刈機１１０の回転部１１３の位置決め用カバー１１２の形状を変更すれば、十字形状に限られるものではない。基部１は、例えば、１つの第１取付部１２と１つの第２取付部１３とからなるペアを２つ有するものとして、平面視において各ペアの第１取付部１２と第２取付部１３とが隣接して平行に配置されるとともに、平面視において２つのペアが、回転部１１３に固定される中央部（中央部１１より広い中央部）を挟んで直線上に配置されるような形状でもよい。
【００４６】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００４７】
本考案は、交換可能で安価な刃体を用いた除草用回転刃等として有用である。
【符号の説明】
【００４８】
１  基部
２，５  刃体
２ａ，５ａ  切れ刃
２ｂ，５ｂ  軸孔
５Ｂ  長穴
１１  中央部
１２  第１取付部
１３  第２取付部
Ｌ１  第１の軸線
Ｌ２  第２の軸線
１００，１０１  除草用回転刃
１１３  草刈機の回転部
【図１】
0003208210.tif 000003
【図２】
0003208210.tif 000004
【図３】
0003208210.tif 000005
【図４】
0003208210.tif 000006
【図５】
0003208210.tif 000007